(57)【要約】【課題】  従来、組立式陳列台がある。短辺枠と長辺枠の縦枠材に設けた対のパイプにピンを固定し、枠柱を組立て、枠柱に、底板と天板をセットする構造であり、簡便であるが、パイプ緊締具等の工具が必要である。また、縦枠と横枠とを螺子止め固定し、底板を支持突起に架承し、天板を落込み支持する構造があるが、工具を使用して組立てる構造である。【解決手段】  本発明は、対の短辺枠と対の長辺枠でなり、かつ短辺枠の縦枠材が、長辺枠の縦枠材に対し、大径の枠材で構成し、かつ対の短辺枠と対の長辺枠で構成した枠柱は、折畳可能とし、枠柱を展開組立時に、底板を落込みで組立て、天板を嵌め込み組立てる組立式陳列台である。スーパー、小売店等の店頭での組付けが容易となること、また、工具等の準備がなく、簡便であること、人的な計らいが必要となく、かつコストの上昇を回避できる。【選択図】      図１
2015002875.tif 000002
【特許請求の範囲】
【請求項１】
対の短辺枠と対の長辺枠でなり、かつこの短辺枠の縦枠材（第１縦枠材）が、対の長辺枠の縦枠材（第２縦枠材）に対して、大径の枠材で構成するとともに、この対の短辺枠と対の長辺枠で構成した枠柱は、折畳可能とし、この枠柱を展開組立時に、底板を落込みで組立てるとともに、天板を嵌め込み組立てる構成とした組立式陳列台。
【請求項２】
前記対の短辺枠の枠材の内面に、対の長辺枠の枠材の外面を近接して設けるとともに、この近接した内外面に、丁番を付設する構成とした請求項１に記載の組立式陳列台。
【請求項３】
前記底板の落込み（架承「組立」）は、この底板の長辺に設けた対の鉤形フックを、前記枠柱の長辺の対の下側横枠材に支持する構成とした請求項１に記載の組立式陳列台。
【請求項４】
前記天板の嵌め込み（架承）は、この天板の短辺、及び/又は、該天板の長辺の内側に設けた対の脚を、前記枠柱の短辺の対の上側横枠材、及び/又は、該柱枠の長辺の対の梁枠材間に挿入する構成とした請求項１に記載の組立式陳列台。
【発明の詳細な説明】
【技術分野】
【０００１】
本発明は、折畳式で、かつ組立式陳列台に関し、ボルト等の緊締冶具、工具なしで組立てできる、所謂、ワンタッチで組立可能な陳列台（主として、スチール製）に関する。
【背景技術】
【０００２】
この種の組立式陳列台に関しては、本出願は、特開平１０−８５０９７号公報で開示している「折畳式陳列台」を提供している。この発明は、短辺枠と長辺枠の縦枠材に設けた対のパイプにピンを固定し、枠柱を組立て、この枠柱に、底板と天板をセットする構造である。従って、簡便であるが、パイプ緊締具等の工具が必要である。その他として、実開平６−２４５６７号公報で開示されている「商品陳列用ワゴンの組立構造」がある。この考案は、縦枠と横枠とを螺子止め固定し、底板を支持突起に架承し、また、天板を落込み支持する構造である。従って、工具を使用して組立てる構造である。
【０００３】
【特許文献１】特開平１０−８５０９７号公報
【特許文献２】実開平６−２４５６７号公報
【発明の概要】
【発明が解決しようとする課題】
【０００４】
前記文献１、２では、工具等を利用して組付てる構造である。従って、スーパー、小売店等の店頭での組付けに困ること、また、工具等の準備があり、厄介であること、等の改良点と、人的な計らいが必要となり、コストの上昇を招く等の問題を抱えている。
【０００５】
上記に鑑み、本発明は、ワンタッチでの組立ができる陳列台を提供し、前述の課題克服
と、収容の簡便性、迅速化を図ること、又は陳列台に関する改良点を解消することを意図する。
【課題を解決するための手段】
【０００６】
前述した課題を克服すること、収容の簡便性、迅速化を図ること、又は陳列台に関する改良点を解消することを意図し、請求項１〜４を提供する。
【発明の効果】
【０００７】
請求項１の発明は、対の短辺枠と対の長辺枠でなり、かつ短辺枠の縦枠材（第１縦枠材）が、対の長辺枠の縦枠材（第２縦枠材）に対して、大径の枠材で構成するとともに、対の短辺枠と対の長辺枠で構成した枠柱は、折畳可能とし、枠柱を展開組立時に、底板を落込みで組立てるとともに、天板を嵌め込み組立てる構成とした組立式陳列台である。
【０００８】
従って、下記の効果が期待できる。
１）  スーパー、小売店等の店頭での組付けが容易となること、また、工具等の準備がなく、簡便であること、人的な計らいが必要となく、かつコストの上昇を回避できる。
２）  収容の簡便性、迅速化が図れること、又は陳列台に関する改良点を解消できること、等が達成できる。
３）  陳列台の納入業者の作業とメンテナンスの容易化、迅速化、並びに進行・コストの軽減化等に有効である。
【０００９】
請求項２の発明は、対の短辺枠の枠材の内面に、対の長辺枠の枠材の外面を近接して設けるとともに、近接した内外面に、丁番を付設する構成とした請求項１に記載の組立式陳列台である。
【００１０】
従って、前記１）〜３）の他に下記の効果が期待できる。
４）  枠材の折畳みが可能となり、かつ折畳み厚みの減少化と、収容の容易化、省スペース化等に寄与できる。
【００１１】
請求項３の発明は、底板の落込み（架承「組立」）は、底板の長辺に設けた対の鉤形フックを、枠柱の長辺の対の下側横枠材に支持する構成とした請求項１に記載の組立式陳列台である。
【００１２】
従って、前記１）〜３）の他に下記の効果が期待できる。
５）  枠材の底部の縦横枠材の安定性と、ぐら付き防止、並びに底板自身の安定性と、ぐら付き防止が図れる。
【００１３】
請求項４の発明では、天板の嵌め込み（架承）は、天板の短辺、及び／又は、天板の長辺の内側に設けた対の脚を、枠柱の短辺の対の上側横枠材、及び／又は、枠柱の長辺の対の梁枠材間に挿入する構成とした請求項１に記載の組立式陳列台である。
【００１４】
従って、前記１）〜３）の他に下記の効果が期待できる。
６）  枠材の天板部の縦横枠材の安定性と、ぐら付き防止、並びに天板自身の安定性と、ぐら付き防止が図れる。
【図面の簡単な説明】
【００１５】
【図１】陳列台の要部の分解斜視図
【図２−１】枠柱を拡大して示した一部省略の斜視図
【図２−２】図２−１の要部を拡大して示した斜視図
【図２−３】枠柱を折畳んだ状態の左側（図１において左側の下）の一方を拡大して示した平面図
【図２−４】枠柱を折畳んだ状態の右側（図１において左側の上）の一方を拡大して示した平面図
【図３】底板を示した俯瞰図
【図４】天板を示した背面図
【図５】コーナー枠体を示した一部省略の要部の斜視図
【発明を実施するための形態】
【００１６】
陳列台Ａの主体をなす枠柱１は、図１と図２−２において、例えば、左右Ｘ側に立設する対の短辺枠２、２（対の場合には、単に「２」とする）と、この短辺枠２間で、かつ前後Ｙ側に立設する長辺枠３、３（対の場合には、単に「３」とする）と、で構成する。この短辺枠２は、対の第１縦枠材２００、２００と、この対の第１縦枠材２００の短手方向（前後Ｙ）間で、かつ両端部の上下側に設けた対の第１横枠材２０１、２０１を枠組構成する。また、長辺枠３は、対の第２縦枠材３００、３００と、この対の第２縦枠材３００の長手方向（左右Ｘ）間で、かつ両端部の上下側に設けた対の第２梁枠材３０２、３０２を枠組構成する。
【００１７】
そして、各第１縦枠材２００の内面２００ａと、各第２縦枠材３００の外面３００ａとの接合面Ｂ１（隣接する第１縦枠材２００と、第２縦枠材３００との接合面Ｂ１：近接した内外面）には、丁番５が、一枚、又は数枚設けられている。尚、四隅の接合面Ｂ２〜Ｂ４は同じである。この丁番５を付設することで、例えば、図に向かって、左側において、一方の長辺枠３の第２縦枠材３００が、一方の短辺枠２の第１縦枠材２００を基点として、反時計方向に回転し（以下同じ）、第１縦枠材２００の内面一部と、第１横枠体２０１内面に添接するように折畳まれる（図２−３参照）。また、他方の長辺枠３の第２縦枠材３００が折畳まれることで、他方の短辺枠２の第１縦枠材２００は、この他方の長辺枠３の第２縦枠材３００を基点として回転し、当該他方の長辺枠３の第２縦枠材３００の外側一部に添接するように折畳まれる（図２−４参照）。前述の折畳みと同期して、図示しないが、図に向かって、右側において、前述した如く、他方の短辺枠２の第１縦枠材２００が、一方の長辺枠３の第２縦枠材３００を基点として回転することで、この他方の短辺枠２の第１縦枠材２００の内面が、他方の長辺枠３の第２縦枠体３００の内面一部と、第２梁枠体２０２の内面に添接するように折畳まれる。これによって、枠柱１の折畳みと、展開が、工具を要さずして、かつワンタッチで行える。  本発明の特徴の一つは、第１縦枠材２００の径に対して、第２縦枠材３００の径を小とすることで、左右Ｘ方向より見た際に、第１縦枠材２００に、第２縦枠材３００が隠れる構造として、スッキリ感を醸成すること、並びに第２縦枠材３００の折畳み時の衝突回避と、旋回距離を少なくし、確実に折畳みできること、等を目的とする。また、この目的を達成するために、接合面Ｂ１における丁番５の取付位置を確保する（図２−３参照）。尚、図示しないが、その他の実施例として短辺枠の中心が蝶番を介して二つに折畳まれることでさらにコンパクトにすることもできる。
【００１８】
図３に示した底板６は、枠柱１の長辺枠３に支持される（落し込まれる）。この底板６の長手方向（長辺）の両端部６ａ、６ｂには、鉤形フック７、７が設けられており、このフック７を、第２梁枠材３０２に、それぞれ支持して、この長辺枠３に架承する。
【００１９】
また、図４に示した天板８は、枠柱１の短辺枠２と長辺枠３に支持される（嵌め込まれる）。この天板８の長手方向（長辺）の両端部８ａ、８ｂには、脚１０、１０が設けられており、この脚１０を、上側の対の第２梁枠材３０２の内面３０２ａ、３０２ａと短辺枠２の内面２０１ａで構成される隙間に、それぞれ嵌め込む（第１嵌込み）とともに、短辺枠２と長辺枠３の上面（符号なし）に架承することで、天板８を、短辺枠２と長辺枠３に架承する。尚、図示しないが、短手方向（短辺）の両端部７ｃ、７ｄに脚（図示しない）を設け、対の第１横枠材２０１の内面２０１ａ、２０１ａと長辺枠２の内面３０２ａとで構成される隙間に、それぞれ嵌め込む（第２嵌込み）ことも可能である。その他は前述と同じである。前述した、第１嵌込み、及び／又は、第２嵌込みで、枠柱１の形状／強度確保を図りつつ、かつ陳列台Ａの組付けと、この組付け時の強度の確保等を図る。
【００２０】
図５に示した落下防止用の枠１２は、長手方向に設けた一方枠体１２００、１２００と、短手方向に設けた他方枠体１２０１、１２０１と、で構成する。そして、この一方枠体１２００には、その端部下端に突起１２００ａ、１２００ａを設けるとともに、その端部上端に孔１２００ｂを形成する。また、他方枠体１２０１には、その端部下端に差込片１２０１ａ、１２０１ａを設ける。この一方枠体１２００の突起１２００ａを、底板６、天板８の四隅の各孔６００、８００に、それぞれ差込み支持することで、一方枠体１２００が長辺側に立設される。そこで、この一方枠体１２００の各孔１２００ｂに、他方枠体の各差込み片１２０１ａを、それぞれ差込み支持することで、一方枠体１２００間に、他方枠体１２０１（短手方向）が立設される。
【００２１】
以下、陳列台Ａの解体（折畳み収容）について説明する。先ず、天板８を取外す場合には、例えば、必要時において、上の枠１２を取外し、枠柱１の上面（長辺枠３の上の第２梁枠材３０２、及び／又は、短辺枠２の上の第１横枠材２０１の上面）と天板８の隙間を利用して、天板８を取外す。これにより、枠柱１の上面が開放されるので、必要時において、下の枠１２を取外す。その後、底板６を、長辺枠３の下の第２梁枠材３０２より取外す。以上の上下の枠１２、１２と、天板８、並びに底板６を、それぞれ取外すことで、枠柱１は、裸の状態となるので、丁番５を利用して折畳むことができる。更に、一例を説明すると、この折畳んだ枠柱１の上に、取外した上下の枠１２、１２と、天板８、並びに底板６を重畳し、箱詰め、又は結束することで、コンパクトに収容できることと、一切工具無しで、収容できる。また、組立は、前述の逆であり、構造の説明時において、個々に説明してあるので、説明は割愛する。
【００２２】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００２３】
１          枠柱
２          短辺枠
２００      第１縦枠材
２００ａ    内面
２０１      第１横枠材
２０１ａ    内面
３          長辺枠
３００      第２縦枠材
３００ａ    外面
３０２      第２梁枠材
３０２ａ    内面
５          丁番
６          底板
６ａ        端部
６ｂ        端部
６００      孔
７          フック
８          天板
８ａ        端部
８ｂ        端部
８００      孔
１０        脚
１２        枠
１２００    一方枠体
１２００ａ  突起
１２００ｂ  孔
１２０１    他方枠体
１２０１ａ  差込み片
Ａ          陳列台
Ｂ１〜Ｂ４  接合面
【図１】
2015002875.tif 000003
【図２−１】
2015002875.tif 000004
【図２−２】
2015002875.tif 000005
【図２−３】
2015002875.tif 000006
【図２−４】
2015002875.tif 000007
【図３】
2015002875.tif 000008
【図４】
2015002875.tif 000009
【図５】
2015002875.tif 000010